(57)【要約】【課題】メイン電源オフ後のＥＰＧ取得の不具合の原因が停電であることをユーザが確認でき利便性が高くなる放送受信装置を提供する。【解決手段】リモコン２８によりメイン電源がオフにされ、その後ＥＰＧ取得開始時刻となり内部パワーがオンとなりＥＰＧ取得が開始される際にメインＣＰＵ１０はフラッシュメモリ１３に現在時刻をＥＰＧ取得開始時刻情報として記憶させ、ＥＰＧ取得中に停電が発生しサブＣＰＵ２３が停電発生を検出すると、ＲＡＭ２４に現在時刻を停電発生時刻情報として記憶させ、その後、リモコン２８によりメイン電源がオンにされると、メインＣＰＵ１０は、ＯＳＤ部２１およびビデオエンコーダ２２を用いて停電発生時刻情報が表す時刻に停電が発生した旨およびＥＰＧ取得開始時刻情報が表す時刻にＥＰＧ取得が開始された旨を表示装置に表示させる。【選択図】図１
2007214939.tif 000002
【特許請求の範囲】
【請求項１】
放送信号からＥＰＧデータを取得するＥＰＧ取得手段と、第一の制御手段と、第二の制御手段と、第一の記憶手段と、第二の記憶手段と、表示信号生成手段と、を備える放送受信装置であって、
操作手段によりメイン電源がオフにされると前記第一の制御手段および前記ＥＰＧ取得手段に電源供給がされず前記第二の制御手段に電源供給がされる状態となり、
その後、ＥＰＧ取得のために前記第二の制御手段の制御により前記第一の制御手段および前記ＥＰＧ取得手段に電源供給が開始され、
前記ＥＰＧ取得手段がＥＰＧデータを取得開始する際に前記第一の制御手段は、現在時刻を表す第一の時刻情報を前記第一の記憶手段に記憶させ、
前記ＥＰＧ取得手段がＥＰＧデータを取得中に停電が発生し、記第一の制御手段および前記ＥＰＧ取得手段に電源供給がされず前記第二の制御手段に電源供給がされる状態となり、前記第二の制御手段が停電発生を検出すると、前記第二の制御手段は現在時刻を表す第二の時刻情報を前記第二の記憶手段に記憶させ、
その後、前記操作手段によりメイン電源がオンにされると前記第一の制御手段および前記ＥＰＧ取得手段および前記第二の制御手段に電源供給がされる状態となり、前記表示信号生成手段は、前記第二の時刻情報が表す時刻に停電が発生した旨を表示手段に表示させるための信号を前記第二の時刻情報に基づき生成し、前記第一の時刻情報が表す時刻にＥＰＧデータを取得開始した旨を表示手段に表示させるための信号を前記第一の時刻情報に基づき生成する、ことを特徴とし、
前記第一の制御手段が前記第一の記憶手段に前記第一の時刻情報を記憶させた後、前記ＥＰＧ取得手段がＥＰＧデータの取得を完了する際に前記第一の制御手段は、現在時刻を表す第三の時刻情報を前記第一の記憶手段に記憶させ、
その後、前記第二の制御手段の制御により前記第一の制御手段および前記ＥＰＧ取得手段への電源供給がされず前記第二の制御手段に電源が供給されるメイン電源がオフの状態となり、
その後、前記操作手段によりメイン電源がオンにされると前記第一の制御手段および前記ＥＰＧ取得手段および前記第二の制御手段に電源供給がされる状態となり、前記表示信号生成手段は、前記第一の時刻情報が表す時刻から前記第三の時刻情報が表す時刻までＥＰＧデータが取得された旨を表示手段に表示させるための信号を前記第一の時刻情報および前記第三の時刻情報に基づき生成する、
ことをさらに特徴とする放送受信装置。
【請求項２】
放送信号からＥＰＧデータを取得するＥＰＧ取得手段と、第一の制御手段と、第二の制御手段と、第一の記憶手段と、第二の記憶手段と、報知信号生成手段と、を備える放送受信装置であって、
操作手段によりメイン電源がオフにされると前記第一の制御手段および前記ＥＰＧ取得手段に電源供給がされず前記第二の制御手段に電源供給がされる状態となり、
その後、ＥＰＧ取得のために前記第二の制御手段の制御により前記第一の制御手段および前記ＥＰＧ取得手段に電源供給が開始され、
前記ＥＰＧ取得手段がＥＰＧデータを取得開始する際に前記第一の制御手段は、現在時刻を表す第一の時刻情報を前記第一の記憶手段に記憶させ、
前記ＥＰＧ取得手段がＥＰＧデータを取得中に停電が発生し、記第一の制御手段および前記ＥＰＧ取得手段に電源供給がされず前記第二の制御手段に電源供給がされる状態となり、前記第二の制御手段が停電発生を検出すると、前記第二の制御手段は現在時刻を表す第二の時刻情報を前記第二の記憶手段に記憶させ、
その後、前記操作手段によりメイン電源がオンにされると前記第一の制御手段および前記ＥＰＧ取得手段および前記第二の制御手段に電源供給がされる状態となり、前記報知信号生成手段は、前記第二の時刻情報が表す時刻に停電が発生した旨を報知するための信号を前記第二の時刻情報に基づき生成し、前記第一の時刻情報が表す時刻にＥＰＧデータを取得開始した旨を報知するための信号を前記第一の時刻情報に基づき生成する、
ことを特徴とする放送受信装置。
【請求項３】
前記第一の制御手段が前記第一の記憶手段に前記第一の時刻情報を記憶させた後、前記ＥＰＧ取得手段がＥＰＧデータの取得を完了する際に前記第一の制御手段は、現在時刻を表す第三の時刻情報を前記第一の記憶手段に記憶させ、
その後、前記第二の制御手段の制御により前記第一の制御手段および前記ＥＰＧ取得手段への電源供給がされず前記第二の制御手段に電源が供給されるメイン電源がオフの状態となり、
その後、前記操作手段によりメイン電源がオンにされると前記第一の制御手段および前記ＥＰＧ取得手段および前記第二の制御手段に電源供給がされる状態となり、前記報知信号生成手段は、前記第一の時刻情報が表す時刻から前記第三の時刻情報が表す時刻までＥＰＧデータが取得された旨を報知するための信号を前記第一の時刻情報および前記第三の時刻情報に基づき生成する、
ことを特徴とする請求項２に記載の放送受信装置。
【請求項４】
前記報知信号生成手段が生成する信号は、表示手段に表示させて報知するための信号であることを特徴とする請求項２に記載の放送受信装置。
【発明の詳細な説明】
【技術分野】
【０００１】
本発明は、ＥＰＧ機能をもつ放送受信装置に関する。
【背景技術】
【０００２】
昨今、ＥＰＧ（Ｅｌｅｃｔｒｏｎｉｃ  Ｐｒｏｇｒａｍ  Ｇｕｉｄｅ：電子番組表）が重畳された放送電波を受信し、取得したＥＰＧを録画予約等に利用する放送受信装置が普及している。
【０００３】
ＥＰＧは地域毎に決められたホスト局が決められた時間に送信を行うため、ＥＰＧを取得するには決められたチャンネルを選局する必要があり、ユーザによるメイン電源オフ後にＥＰＧの送信時間になると自動で内部パワーをオンとして決められたチャンネルを選局しＥＰＧを取得し、取得が完了すると内部パワーを自動でオフとし、その後ユーザによりメイン電源がオンとされるときに取得されたＥＰＧを表示させるような放送受信装置が一般的である。
【０００４】
なお、ＥＰＧを利用する放送受信装置に関しては、例えば特許文献１に、受信したＥＰＧの配信予定情報に基づいて配信日時を決定し、決定された配信日時に、新たなＥＰＧの受信を行い、ＥＰＧを自動更新するものが開示されている。
【特許文献１】特開２００１−１３６４５３号公報
【発明の開示】
【発明が解決しようとする課題】
【０００５】
しかし、上記従来の放送受信装置では、メイン電源オフ後にＥＰＧを取得中停電が発生した場合、ＥＰＧ取得が中断されるので、ユーザによりメイン電源がオンとされるときにデータが欠落したＥＰＧが表示されるが、その原因が停電であることはユーザには分からず、放送受信装置が故障しているものと誤認し不便であるという問題があった。
【０００６】
本発明は上記問題点を鑑みてなされ、メイン電源オフ後のＥＰＧ取得の不具合の原因が停電であることをユーザが確認でき利便性が高い放送受信装置を提供することを目的とする。
【課題を解決するための手段】
【０００７】
上記目的を達成するために本発明の放送受信装置は、放送信号からＥＰＧデータを取得するＥＰＧ取得手段と、第一の制御手段と、第二の制御手段と、第一の記憶手段と、第二の記憶手段と、報知信号生成手段と、を備える放送受信装置であって、
操作手段によりメイン電源がオフにされると前記第一の制御手段および前記ＥＰＧ取得手段に電源供給がされず前記第二の制御手段に電源供給がされる状態となり、
その後、ＥＰＧ取得のために前記第二の制御手段の制御により前記第一の制御手段および前記ＥＰＧ取得手段に電源供給が開始され、
前記ＥＰＧ取得手段がＥＰＧデータを取得開始する際に前記第一の制御手段は、現在時刻を表す第一の時刻情報を前記第一の記憶手段に記憶させ、
前記ＥＰＧ取得手段がＥＰＧデータを取得中に停電が発生し、記第一の制御手段および前記ＥＰＧ取得手段に電源供給がされず前記第二の制御手段に電源供給がされる状態となり、前記第二の制御手段が停電発生を検出すると、前記第二の制御手段は現在時刻を表す第二の時刻情報を前記第二の記憶手段に記憶させ、
その後、前記操作手段によりメイン電源がオンにされると前記第一の制御手段および前記ＥＰＧ取得手段および前記第二の制御手段に電源供給がされる状態となり、前記報知信号生成手段は、前記第二の時刻情報が表す時刻に停電が発生した旨を報知するための信号を前記第二の時刻情報に基づき生成し、前記第一の時刻情報が表す時刻にＥＰＧデータを取得開始した旨を報知するための信号を前記第一の時刻情報に基づき生成する、
ことを特徴としている。
【０００８】
このような構成によれば、メイン電源オフ後にＥＰＧを取得中停電が発生し、ＥＰＧ取得が中断され、ユーザによりメイン電源がオンとされるときにうまくＥＰＧが表示されなくても、その原因が停電であることをユーザが確認でき、放送受信装置が故障しているものと誤認することはなくなり利便性が高くなる。
【０００９】
また、本発明の放送受信装置は、前記第一の制御手段が前記第一の記憶手段に前記第一の時刻情報を記憶させた後、前記ＥＰＧ取得手段がＥＰＧデータの取得を完了する際に前記第一の制御手段は、現在時刻を表す第三の時刻情報を前記第一の記憶手段に記憶させ、
その後、前記第二の制御手段の制御により前記第一の制御手段および前記ＥＰＧ取得手段への電源供給がされず前記第二の制御手段に電源が供給されるメイン電源がオフの状態となり、
その後、前記操作手段によりメイン電源がオンにされると前記第一の制御手段および前記ＥＰＧ取得手段および前記第二の制御手段に電源供給がされる状態となり、前記報知信号生成手段は、前記第一の時刻情報が表す時刻から前記第三の時刻情報が表す時刻までＥＰＧデータが取得された旨を報知するための信号を前記第一の時刻情報および前記第三の時刻情報に基づき生成する、
ことをさらに特徴としている。
【００１０】
このような構成によれば、ＥＰＧの取得完了時間をユーザが確認できるので、ＥＰＧを正常に取得できたことを容易に確認できる。
【発明の効果】
【００１１】
本発明の放送受信装置によれば、メイン電源オフ後のＥＰＧ取得の不具合の原因が停電であることをユーザが確認でき利便性が高くなる。
【発明を実施するための最良の形態】
【００１２】
以下、本発明の実施形態について図面を参照しつつ説明する。ここでは、ハードディスクレコーダを例として説明するが、本発明はこれに限られることはなく、ＥＰＧ機能をもつ全ての放送受信装置に適用できる。
【００１３】
図１は、本発明に係るハードディスクレコーダ１の構成を示すブロック図である。
【００１４】
アンテナ２は、放送電波信号を受信し高周波信号である放送信号をチューナ３に送出する。チューナ３は、アンテナ２から受信した放送信号から所定の周波数の放送信号を選局する。
【００１５】
音声検波部４は、チューナ３の出力信号から音声信号を検波する。Ａ／Ｄコンバータ８は、音声検波部４から受信した音声信号をデジタル音声信号に変換する。映像検波部５は、チューナ３の出力信号からコンポジット信号を検波する。ビデオデコーダ７は、映像検波部５から受信したコンポジット信号をデジタル映像信号に変換する。ＭＰＥＧエンコーダ９は、上記デジタル映像信号および上記デジタル音声信号をＭＰＥＧ２に準拠して圧縮符号化する。ハードディスクドライブ１１は、上記圧縮符号化されたデジタル映像信号およびデジタル音声信号を内蔵するハードディスクに記録したり、ハードディスクから読み出したりする。ＥＰＧ抽出部６は、チューナ３の出力信号からＥＰＧデータを抽出する。
【００１６】
ＭＰＥＧデコーダ１５は、圧縮符号化されたデジタル映像信号およびデジタル音声信号をＭＰＥＧ２に準拠して復号化する。また、スイッチ１９は、ＭＰＥＧデコーダ１５からＯＳＤ（Ｏｎ  Ｓｃｒｅｅｎ  Ｄｉｓｐｌａｙ）部２１への信号経路のオンオフを行う。また、スイッチ２０は、ビデオデコーダ７からＯＳＤ部２１への信号経路のオンオフを行う。ＯＳＤ部２１は、図形信号や文字信号を生成し、ビデオデコーダ７またはＭＰＥＧデコーダ１５から受信したデジタル映像信号と合成して表示信号としてビデオエンコーダ２２に送出する。なお、ＯＳＤ部２１は、図形信号や文字信号のみを表示信号としてビデオエンコーダ２２に送出する場合もある。ビデオエンコーダ２２は、ＯＳＤ部２１から受信した表示信号をコンポジット信号に変換してハードディスレコーダ１に接続された図示しないテレビ等の表示装置に送出する。表示装置の画面には、コンポジット信号に基づき映像が表示される。
【００１７】
Ｄ／Ａコンバータ１６は、ＭＰＥＧデコーダ１５から受信したデジタル音声信号をアナログ音声信号に変換する。スイッチ１７は、音声検波部４からハードディスクレコーダ１外部への信号経路のオンオフを行う。また、スイッチ１８は、Ｄ／Ａコンバータ１６からハードディスクレコーダ１外部への信号経路のオンオフを行う。音声検波部４またはＤ／Ａコンバータ１６からのアナログ音声信号はスイッチ１７またはスイッチ１８を介して、ハードディスレコーダ１に接続された図示しない表示装置に送出される。表示装置のスピーカからは、アナログ音声信号に基づき音声が発せられる。
【００１８】
ＲＡＭ１２は、メインＣＰＵ１０のワークメモリに用いられる。フラッシュメモリ１３は、ＥＰＧデータ等が記憶される不揮発性メモリである。内部時計１４は、時刻を計るものである。
【００１９】
ＲＡＭ２４は、サブＣＰＵ２３のワークメモリに用いられる。内部時計２５は、時刻を計るものである。液晶表示部２６は、現在時刻等を表示する。リモコン受信部２７は、リモコン２８からの赤外線信号を受信および復調し、操作信号をサブＣＰＵ２３に送出する。リモコン２８は、ボタン等のインターフェイスを有し、インターフェイスの操作に対応する赤外線信号を送出する。
【００２０】
以上のような構成のハードディスクレコーダ１の動作について以下説明する。
【００２１】
ハードディスクレコーダ１が有する電源プラグが電源用コンセントに接続されると、サブＣＰＵ２３、ＲＡＭ２４、内部時計２５、液晶表示部２６、リモコン受信部２７（以下まとめてサブ部という）に電源が供給される。ここで、リモコン２８においてメイン電源をオンとする操作がされると、リモコン受信部２７はその操作に対応する赤外線信号をリモコン２８から受信し、操作信号をサブＣＰＵ２３に送出する。すると、サブＣＰＵ２３の制御により、図１中ハードディスクレコーダ１においてサブ部以外の各部（スイッチ類は除く、以下まとめてメイン部という）に電源が供給され、メイン電源がオンの状態となる。
【００２２】
メイン電源がオンの状態で、リモコン２８において放送番組視聴のための操作がされると、メインＣＰＵ１０は、スイッチ１７をオン、スイッチ１８をオフ、スイッチ１９をオフ、スイッチ２０をオンとする。これにより、ＯＳＤ部２１は、ビデオデコーダ７からのデジタル映像信号を受信する。ＯＳＤ部２１は、表示枠等の図形信号や現在選局されているチャンネル番号等の文字信号を生成し、上記デジタル映像信号と合成して表示信号としてビデオエンコーダ２２に送出する。そして、ビデオエンコーダ２２で表示信号がコンポジット信号に変換され表示装置に送出され、表示装置の画面にコンポジット信号に基づく映像が表示される。また、音声検波部４からの音声信号が表示装置に送出され、表示装置のスピーカから音声信号に基づく音声が発せられる。これにより、ユーザは放送番組を視聴することができる。
【００２３】
また、メイン電源がオンの状態で、リモコン２８において通常録画のための操作がされると、メインＣＰＵ１０は、指定されたチャンネル番号を選局するようチューナ３に指示し、ＭＰＥＧエンコーダ９から受信した圧縮符号化されたデジタル映像信号およびデジタル音声信号をハードディスクドライブ１１に送出する。そして、ハードディスクドライブ１１は、圧縮符号化されたデジタル映像信号およびデジタル音声信号を内蔵するハードディスクに記録してゆき、指定されたチャンネル番号の放送番組が録画される。
【００２４】
また、メイン電源がオンの状態で、リモコン２８においてハードディスク再生のための操作がされると、メインＣＰＵ１０は、スイッチ１７をオフ、スイッチ１８をオン、スイッチ１９をオン、スイッチ２０をオフとする。そして、メインＣＰＵ１０は、指定されたタイトル名に対応する圧縮符号化されたデジタル映像信号およびデジタル音声信号をハードディスクから読み出すようハードディスクドライブ１１に指示し、ハードディスクドライブ１１は、ハードディスクから圧縮符号化されたデジタル映像信号およびデジタル音声信号を読み出し、メインＣＰＵ１０に送出する。そして、メインＣＰＵ１０は、圧縮符号化されたデジタル映像信号およびデジタル音声信号をＭＰＥＧデコーダ１５に送出する。ＭＰＥＧデコーダ１５は、圧縮符号化されたデジタル映像信号を復号化し、ＯＳＤ部２１に送出する。ＯＳＤ部２１は、表示枠等の図形信号や指定されたタイトル名等の文字信号を生成し、上記復号化されたデジタル映像信号と合成して表示信号としてビデオエンコーダ２２に送出する。そして、ビデオエンコーダ２２で表示信号がコンポジット信号に変換され表示装置に送出され、表示装置の画面にコンポジット信号に基づく映像が表示される。また、ＭＰＥＧデコーダ１５は、圧縮符号化されたデジタル音声信号を復号化し、Ｄ／Ａコンバータ１６に送出する。Ｄ／Ａコンバータ１６は、復号化されたデジタル音声信号をアナログ音声信号に変換し、表示装置に送出する。そして、表示装置のスピーカからアナログ音声信号に基づく音声が発せられる。これにより、ユーザはハードディスクに録画した所望する放送番組を再生視聴することができる。
【００２５】
次に、本発明の特徴であるメイン電源オフ後にＥＰＧデータを取得開始し、取得中に停電が発生した場合のハードディスクレコーダ１の動作について図２のフローチャートに沿って説明する。
【００２６】
まず、ステップ２０で、リモコン２８においてメイン電源をオフとする操作がされると、サブＣＰＵ２３は、その操作に対応する操作信号をリモコン受信部２７から受信し、メイン部への電源供給を切るように制御し、サブ部にのみ電源が供給される状態となり、メイン電源がオフとなる。そして、ステップＳ２１で、サブＣＰＵ２３は停電検出動作を開始する。
【００２７】
ここで、不図示のＲＯＭに、ＥＰＧデータを送信するホスト局毎に決められている送信時刻を表すＥＰＧ送信開始時刻情報が予め記憶されている。ステップＳ２２で、ＲＯＭに記憶されているＥＰＧ送信開始時刻情報と内部時計２５で得られる現在時刻情報とが一致すると、サブＣＰＵ２３は、メイン部に電源供給されるよう制御し、メイン部に電源が供給される。そして、サブＣＰＵ２３は、メインＣＰＵ１０に起動理由をＥＰＧ取得とする起動理由情報を送出し、メインＣＰＵ１０はこれを受信する。すると、メインＣＰＵ１０は、スイッチ１７、１８、１９、２０をオフとし、表示装置に音声信号とコンポジット信号は送出されない状態となる。これはいわゆる内部パワーオンの状態である。
【００２８】
そして、ステップＳ２３で、サブＣＰＵ２３はメインＣＰＵ２３からの要求により、内部時計２５で得られる現在時刻情報をメインＣＰＵ１０に送出し、メインＣＰＵ１０はこれを受信し、フラッシュメモリ１３に該現在時刻情報をＥＰＧ取得開始時刻情報として記憶させ、内部時計１４の現在時刻を該現在時刻情報が表す時刻に設定する。そして、メインＣＰＵ１０は、チューナ３にＥＰＧデータ取得用のチャンネルの放送信号を選局するよう指示し、ＥＰＧ抽出部６が放送信号から抽出したＥＰＧデータをフラッシュメモリ１３に記憶していく。
【００２９】
そして、ＥＰＧデータ取得中に停電が発生すると、メイン部への電源供給が切れ、ＥＰＧデータ取得は中断され、ステップＳ２４でサブＣＰＵ２３は電圧低下を検出することにより停電発生を検出する。ここで、不図示のバックアップ用コンデンサに通常時電源が供給されており、停電が発生してもバックアップ用コンデンサに充電された電力がサブ部に供給され、サブ部は動作を維持する。
【００３０】
そして、ステップＳ２５で、サブＣＰＵ２３は、内部時計２５で得られた現在時刻情報を停電発生時刻情報としてＲＡＭ２４に記憶させる。
【００３１】
その後、停電が復帰するとサブ部への商用電源供給が再開される。そして、ステップＳ２６で、リモコン２８においてメイン電源をオンとする操作がされると、サブＣＰＵ２３は、その操作に対応する操作信号をリモコン受信部２７から受信する。すると、サブＣＰＵ２３は、メイン部へ電源供給がされるよう制御し、メイン部へ電源が供給され、メイン電源がオンとなる。
【００３２】
そして、ステップＳ２７で、サブＣＰＵ２３は、メインＣＰＵ１０に起動理由をメイン電源オンとする起動理由情報を送出し、メインＣＰＵ１０がこれを受信する。そして、サブＣＰＵ２３はメインＣＰＵ１０からの要求により、上記ステップＳ２５でＲＡＭ２４に記憶された停電発生時刻情報をメインＣＰＵ１０に送出する。そして、メインＣＰＵ１０は、ＯＳＤ部２１に停電発生時刻情報を送出し、ＯＳＤ部２１は停電発生時刻情報に基づき表示信号を生成し、ビデオエンコーダ２２に送出する。そして、ビデオエンコーダ２２は、表示信号をコンポジット信号に変換して表示装置に送出する。そして、表示装置には、図３（ａ）のような、停電発生時刻情報が表す時刻に停電が発生した旨を示す画面が表示される。
【００３３】
次に、ステップＳ２８で、メインＣＰＵ１０は、上記ステップＳ２３でフラッシュメモリ１３に記憶されたＥＰＧ取得開始時刻情報をＯＳＤ部２１に送出し、ＯＳＤ部２１はＥＰＧ取得開始時刻情報に基づき表示信号を生成し、ビデオエンコーダ２２に送出する。そして、ビデオエンコーダ２２は、表示信号をコンポジット信号に変換して表示装置に送出する。そして、表示装置には、図３（ｂ）のような、ＥＰＧ取得開始時刻情報が表す時刻からＥＰＧが取得された旨を示す画面が表示される。なお、停電によりＥＰＧデータ取得が中断されているので、ＥＰＧデータ取得が完了した時刻は表示されない。
【００３４】
その後、メインＣＰＵ１０は、フラッシュメモリ１３からデータが途中で欠落したＥＰＧデータをＯＳＤ部２１に送出し、表示装置には途中で欠落したＥＰＧが表示されてしまう。しかし、ユーザは上記の図３のような画面をすでに確認しているので、ＥＰＧが欠落しているのは停電発生のためであることが分かる。
【００３５】
また、メイン電源オフ後ＥＰＧデータが取得されメイン電源オン時までの間に停電が発生しなかった場合、ハードディスクレコーダ１は次のような動作を行う。図４のフローチャートに沿って説明する。
【００３６】
ステップＳ４０でメイン電源がオフにされると、ステップＳ４１でサブＣＰＵ２３は停電検出動作を開始する。そして、ステップＳ４２で、不図示のＲＯＭに記憶されているＥＰＧ送信開始時刻情報と内部時計２５で得られる現在時刻情報とが一致すると、サブＣＰＵ２３は、メイン部に電源供給されるよう制御し、メイン部に電源が供給される。そして、サブＣＰＵ２３は、メインＣＰＵ１０に起動理由をＥＰＧ取得とする起動理由情報を送出し、内部パワーオンの状態になる。
【００３７】
そして、ステップＳ４３で、サブＣＰＵ２３はメインＣＰＵ１０からの要求により、内部時計２５で得られる現在時刻情報をメインＣＰＵ１０に送出し、メインＣＰＵ１０は、フラッシュメモリ１３に該現在時刻情報をＥＰＧ取得開始時刻情報として記憶させ、内部時計１４の現在時刻を該現在時刻情報が表す時刻に設定する。そして、メインＣＰＵ１０は、チューナ３にＥＰＧデータ取得用のチャンネルの放送信号を選局するよう指示し、ＥＰＧ抽出部６が放送信号から抽出したＥＰＧデータをフラッシュメモリ１３に記憶していく。
【００３８】
そして、ステップＳ４４で、すべてのＥＰＧデータがフラッシュメモリ１３に記憶されると、メインＣＰＵ１０は、内部時計１４で得られた現在時刻情報をＥＰＧ取得完了時刻情報としてフラッシュメモリ１３に記憶させる。そして、メインＣＰＵ１０は、サブＣＰＵ２３にＥＰＧデータ取得完了を伝え、サブＣＰＵ２３は、これを受けてメイン部への電源供給が切れるように制御し、メイン部への電源供給が切れ、メイン電源オフの状態に再びなる。
【００３９】
そして、ステップＳ４５で、リモコン２８においてメイン電源をオンとする操作がされると、サブＣＰＵ２３は、その操作に対応する操作信号をリモコン受信部２７から受信する。すると、サブＣＰＵ２３は、メイン部へ電源供給がされるよう制御し、メイン部へ電源が供給され、メイン電源がオンとなる。
【００４０】
そして、ステップＳ４６で、サブＣＰＵ２３は、メインＣＰＵ１０に起動理由をメイン電源オンとする起動理由情報を送出し、メインＣＰＵ１０がこれを受信する。そして、メインＣＰＵ１０は、上記ステップＳ４３、Ｓ４４でフラッシュメモリ１３に記憶されたＥＰＧ取得開始時刻情報およびＥＰＧ取得完了時刻情報をＯＳＤ部２１に送出し、ＯＳＤ部２１はＥＰＧ取得開始時刻情報およびＥＰＧ取得完了時刻情報に基づき表示信号を生成し、ビデオエンコーダ２２に送出する。そして、ビデオエンコーダ２２は、表示信号をコンポジット信号に変換して表示装置に送出する。そして、表示装置には、図５のような、ＥＰＧ取得開始時刻情報が表す時刻からＥＰＧ取得完了時刻情報が表す時刻までＥＰＧデータが取得された旨を示す画面が表示される。これにより、ユーザはＥＰＧデータが正常に取得できたことを容易に確認できる。
【図面の簡単な説明】
【００４１】
【図１】は、本発明に係るハードディスクレコーダの構成を示すブロック図である。
【図２】は、メイン電源オフ後にＥＰＧデータを取得開始し取得中に停電が発生した場合の本発明に係るハードディスクレコーダの動作手順を示すフローチャートである。
【図３】は、図２のフローチャートにおける表示画面例を示す図である。
【図４】は、メイン電源オフ後ＥＰＧデータが取得されメイン電源オン時までの間に停電が発生しなかった場合の本発明に係るハードディスクレコーダの動作手順を示すフローチャートである。
【図５】は、図４のフローチャートにおける表示画面例を示す図である。
【符号の説明】
【００４２】
１    ハードディスクレコーダ
２    アンテナ
３    チューナ
４    音声検波部
５    映像検波部
６    ＥＰＧ抽出部
７    ビデオデコーダ
８    Ａ／Ｄコンバータ
９    ＭＰＥＧエンコーダ
１０    メインＣＰＵ
１１    ハードディスクドライブ
１２    ＲＡＭ
１３    フラッシュメモリ
１４    内部時計
１５    ＭＰＥＧデコーダ
１６    Ｄ／Ａコンバータ
１７    スイッチ
１８    スイッチ
１９    スイッチ
２０    スイッチ
２１    ＯＳＤ部
２２    ビデオエンコーダ
２３    サブＣＰＵ
２４    ＲＡＭ
２５    内部時計
２６    液晶表示部
２７    リモコン受信部
２８    リモコン
【図１】
2007214939.tif 000003
【図２】
2007214939.tif 000004
【図３】
2007214939.tif 000005
【図４】
2007214939.tif 000006
【図５】
2007214939.tif 000007